【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
ローターカップに保持されたローター磁石及びこのローター磁石の下側に慣性板を備えたローターと、前記ローター磁石の側面と対向して配置されるステーターと、このステーターに一体に形成されたコイル芯が嵌め込まれるコイルとで形成され、このうちのローターが、上部基板のほぞ軸穴に軸支される上部軸支部と、回転を伝達するためのピニオンと、前記ロータカップに保持されたローター磁石及び慣性版と、下部基板のほぞ穴用軸によって回転自在に支持される下部軸支部とで形成され、且つ、これらが同軸上に形成されている時計用モーターであって、
前記下部軸支部はほぞ穴により形成されていて、前記ほぞ穴は、その底辺が前記ローターの重心位置とほぼ一致する前記ステーターの厚さ方向中心位置よりも前記上部軸支部側に位置する深さになるように形成されていることを特徴とする時計用モーター。
【請求項２】
前記下部軸支部のほぞ穴は、細径回転摺動穴と太径回転穴からなると共に、前記下部基板のほぞ穴用軸も細径回転摺動軸と太径回転軸とで形成され、その底辺が前記上部軸支部側に位置する深さになるように形成された前記細径回転摺動穴には前記細径回転摺動軸が経合し、また前記太径回転穴には前記太径回転軸が係合すると共に、この太径回転穴は前記細径回転摺動軸が折れるのを防止するための隙間を以て対向配置されていることを特徴とする請求項１に記載の時計用モーター。
【請求項３】
その底辺が前記上部軸支部側に位置する深さになるように形成された前記下部軸支部のほぞ穴には前記下部基板に形成されたほぞ穴用軸の細径回転摺動軸が係合し、前記ほぞ穴用軸の太径回転軸は、前記慣性板の内径に対して前記細径回転摺動軸が折れるのを防止するための隙間を以て対向配置されていることを特徴とする請求項１に記載の時計用モーター。
【請求項４】
前記ローター磁石の磁極は、前記同軸上方向から視たときに、この軸心を通って前記ローター磁石の磁極を結ぶ直線と前記ピニオンに形成された一対の逆転防止歯同士を結ぶ直線とが一定の角度をもって前記ローターカップ内に保持されていることを特徴とする請求項１から請求項３のいずれか１項に記載の時計用モーター。
【請求項５】
前記ローターカップの下面側に前記ローター磁石を圧入する時の位置決めガイドが形成されていることを特徴とする請求項４に記載の時計用モーター。
【手続補正２】
【補正対象書類名】明細書
【補正対象項目名】００１１
【補正方法】変更
【補正の内容】
【００１１】
本発明の請求項１に係る時計用モーターは、ローターカップに保持されたローター磁石及びこのローター磁石の下側に慣性板を備えたローターと、前記ローター磁石の側面と対向して配置されるステーターと、このステーターに一体に形成されたコイル芯が嵌め込まれるコイルとで形成され、このうちのローターが、上部基板のほぞ軸穴に軸支される上部軸支部と、回転を伝達するためのピニオンと、前記ロータカップに保持されたローター磁石及び慣性版と、下部基板のほぞ穴用軸によって回転自在に支持される下部軸支部とで形成され、且つ、これらが同軸上に形成されている時計用モーターであって、
前記下部軸支部はほぞ穴により形成されていて、前記ほぞ穴は、その底辺が前記ローターの重心位置とほぼ一致する前記ステーターの厚さ方向中心位置よりも前記上部軸支部側に位置する深さになるように形成されているもので、これにより、ローターの回転時の回転音を減少させることができる。
【手続補正３】
【補正対象書類名】明細書
【補正対象項目名】００１２
【補正方法】変更
【補正の内容】
【００１２】
また、本発明の請求項２に係る時計用モーターは、前記下部軸支部のほぞ穴は細径回転摺動穴と太径回転穴からなると共に、前記下部基板のほぞ穴用軸も細径回転摺動軸と太径回転軸とで形成され、その底辺が前記上部軸支部側に位置する深さになるように形成された前記細径回転摺動穴には前記細径回転摺動軸が経合し、また前記太径回転穴には前記太径回転軸が係合すると共に、この太径回転穴は前記細径回転摺動軸が折れるのを防止するための隙間を以て係合するように形成されているもので、これにより、衝撃による軸の折れを防止することができる。
【手続補正４】
【補正対象書類名】明細書
【補正対象項目名】００１３
【補正方法】変更
【補正の内容】
【００１３】
また、本発明の請求項３に係る時計用モーターは、その底辺が前記上部軸支部側に位置する深さになるように形成された前記下部軸支部のほぞ穴には前記下部基板に形成されたほぞ穴用軸の細径回転摺動軸が係合し、前記ほぞ穴用軸の太径回転軸は、前記慣性板の内径に対して前記細径回転摺動軸が折れるのを防止するための隙間を以て対向配置されているもので、これにより、衝撃による軸の折れを防止することができる。
【手続補正５】
【補正対象書類名】明細書
【補正対象項目名】００１４
【補正方法】変更
【補正の内容】
【００１４】
また、本発明の請求項４に係る時計用モーターは、前記ローター磁石の磁極は、前記同軸上方向から視たときに、この軸心を通って前記ローター磁石の磁極を結ぶ直線と前記ピニオンに形成された一対の逆転防止歯同士を結ぶ直線とが一定の角度をもって前記ローターカップ内に保持されているもので、これにより、バラツキの無い起動特性を実現することができる。
又、本発明の請求項５に係る時計用モーターは、前記ローターカップの下面側に前記ローター磁石を圧入する時の位置決めガイドが形成されているもので、これにより、一定の角度をもって位置決めすることが容易、且つ、確実にできるようになる。
【手続補正６】
【補正対象書類名】明細書
【補正対象項目名】００３４
【補正方法】変更
【補正の内容】
【００３４】
即ち、本実施例では、図６（ａ）において（同軸上方向から視て）、ローターの中心（軸心）位置１１０ａを通ってピニオン１１２に形成された一対の歯１１２ａ同士を結ぶ直線１１０ｂに対しローター磁石１１３の磁極を結ぶ直線が一定角度θだけずらした位置１１０ｃとなるように形成した。これを実現するためには、ローターカップ１１４の下側にローター磁石１１３を押し込む時の位置決め部となるガイド１１４ｃを２ヶ所形成した。このガイド１１４ｃはピニオンの逆転防止歯１１２ａの歯先位置に対し一定の位置に対称に形成されている。この位置は、逆転防止歯１１２ａの歯先位置から一方の側に９０°の範囲内で形成され、これと対称位置に他方のガイド１１４ｃを形成している。このガイド１１４ｃの内径は慣性板１１５を押しこみ易くするため、慣性板１１５が圧入されている内径よりも多少大きく形成されている。即ち、ローターカップ１１４の内径として最大内径を有している。
【手続補正７】
【補正対象書類名】明細書
【補正対象項目名】００３６
【補正方法】変更
【補正の内容】
【００３６】
このようにすることで治具磁石７２の極性がどちらにあるかが既知となるので、この位置をローターカップ１１４のガイド１１４ｃの位置に対して一定方向で押し込み且つ圧入すると、ピニオンの逆転防止歯１１２ａの歯先位置に対しローター磁石１１３の極性を一定の方向であるθの位置に位置決めすることが可能となる。このように、ピニオンの逆転防止歯１１２ａの歯先位置に対しローター磁石１１３の極性の位相角度を一定に決めることによって、起動特性のバラツキの無い時計用モーター１００を実現できた。
【手続補正８】
【補正対象書類名】明細書
【補正対象項目名】００３７
【補正方法】変更
【補正の内容】
【００３７】
本発明はクロックばかりで無くウオッチの秒針を連続運針させる時などの時計用モーターに限らず、各種の精密機器のモーターとしても適用が可能である。